(57)【要約】      （修正有）【課題】被収納物である衣類を収納部内の仕切りで分けて収納することができ、且つ被収納物を収納した状態でコンパクトに折り畳むことができる圧縮袋を提供する。【解決手段】圧縮袋は、対向する２枚のシートを貼り合わせて形成した衣類の収納部１１と、収納部を密封状態にするための閉鎖手段１３を備える開口部１２と、を有する袋本体１と、収納部に接続され、内部の空気を排出する逆止弁３と、収納部内で互いに対向するシートの面を連続的あるいは断続的に接合して、収納部を少なくとも２箇所に仕切る仕切部２と、を備える。【選択図】図１
0003222514.tif 000002
【実用新案登録請求の範囲】
【請求項１】
対向する２枚のシートを貼り合わせて形成した衣類の収納部と、この収納部を密封状態にするための閉鎖手段を備える開口部と、を有する袋本体と、
前記収納部に接続され、内部の空気を排出する逆止弁と、
前記収納部内で互いに対向する前記シートの面を連続的あるいは断続的に接合して、前記収納部を少なくとも２箇所に仕切る仕切部と、を備えた前記被収納物を圧縮する衣類用圧縮袋。
【請求項２】
前記仕切部が、直線状あるいは曲線状に設けられる請求項１に記載の衣類用圧縮袋。
【請求項３】
前記逆止弁が、前記袋本体内に一体に設けられている請求項１または２に記載の衣類用圧縮袋。
【請求項４】
前記開口部は前記袋本体の一端に設けられ、
前記逆止弁は前記袋本体の他端に設けられる請求項１〜３のいずれかに記載の衣類用圧縮袋。
【請求項５】
前記仕切部は、前記開口部と直交する方向に形成され、且つ前記開口部および逆止弁との間に間隙を有している請求項４に記載の衣類用圧縮袋。
【考案の詳細な説明】
【技術分野】
【０００１】
本考案は、衣類などをコンパクトに収容するための衣類用圧縮袋に関する。
【背景技術】
【０００２】
従来、衣類用圧縮袋として特許文献１に示すような圧縮袋が実用化されている。この種の圧縮袋は、被服類（衣類）を袋本体内に収納し、袋本体の一方のファスナーで密閉した後、袋本体の他方に設けた逆止弁から空気を排出することによって、嵩張る衣類を圧縮して収容することができる。このような圧縮袋は、特に旅行などのパッキングに際して効果を発揮する。
【先行技術文献】
【特許文献】
【０００３】
【特許文献１】実開平５−０２６８８６号公報
【考案の概要】
【考案が解決しようとする課題】
【０００４】
特許文献１に記載の圧縮袋は、収納部が１つのため、衣類などを分別して収納したい場合、袋を２つ以上用いなければならない。また、袋内部に仕切り板などを設ける場合、被収納物を収納した袋の折り畳みが困難となり、コンパクトにならず、携帯性がよくない。
【０００５】
本考案の課題は、被収納物である衣類を収納部内の仕切りで分けて収納することができ、且つ被収納物を収納した状態でコンパクトに折り畳むことができる圧縮袋を提供することである。
【課題を解決するための手段】
【０００６】
本考案者は、上記課題を解決すべく鋭意検討を重ねた結果、以下の構成からなる解決手段を見出し、本考案を完成するに至った。すなわち、本考案の圧縮袋は、以下の構成を有する。
（１）対向する２枚のシートを貼り合わせて形成した衣類の収納部と、この収納部を密封状態にするための閉鎖手段を備える開口部と、を有する袋本体と、
前記収納部に接続され、内部の空気を排出する逆止弁と、
前記収納部内で互いに対向する前記シートの面を連続的あるいは断続的に接合して、前記収納部を少なくとも２箇所に仕切る仕切部と、を備えた前記被収納物を圧縮する衣類用圧縮袋。
（２）前記仕切部が、直線状あるいは曲線状に設けられる（１）に記載の衣類用圧縮袋。
（３）前記逆止弁が、前記袋本体内に一体に設けられている（１）または（２）に記載の衣類用圧縮袋。
（４）前記開口部は前記袋本体の一端に設けられ、前記逆止弁は前記袋本体の他端に設けられる（１）〜（３）のいずれかに記載の衣類用圧縮袋。
（５）前記仕切部は、前記開口部と直交する方向に形成され、且つ前記開口部および逆止弁との間に間隙を有している（４）に記載の衣類用圧縮袋。
【考案の効果】
【０００７】
本考案の衣類用圧縮袋は、２枚のシートを貼り合わせて形成した衣類の収納部と、収納部の空気を排出する逆止弁と、を有する袋本体において、互いに対向するシートの面を連続的あるいは断続的に接合して設けた仕切部を収納部に形成している。これにより、被収納物を収納部内で分けて収納することができる。さらに、被収納物を収納した状態であっても、仕切部は熱溶着で形成されているため、圧縮袋を容易にコンパクトに折り畳むことができ、例えば旅行などに際しての携帯性に優れるという効果がある。
このような衣類用圧縮袋は、被収納物を嵩張らないように圧縮した状態で保つことができるので、嵩張る衣類やオムツなどを収納することに適している。
【図面の簡単な説明】
【０００８】
【図１】本考案の一実施形態に係る衣類用圧縮袋を示す平面図である。
【図２】本考案の他の実施形態に係る衣類用圧縮袋を示す平面図である。
【考案を実施するための形態】
【０００９】
本考案の一実施形態に係る衣類用圧縮袋１０は、図１に示すように、収納部１１および開口部１２を有する袋本体１と、収納部１１を少なくとも２箇所に仕切る仕切部２と、収納部１１に接続された逆止弁３とを含む。
【００１０】
袋本体１は、衣類を収納する収納部１１を有し、一端には開口部１２が設けられ、他端には逆止弁３が設けられる。この袋本体１の形状は特に限定されないが、平面視したとき、矩形または正方形であるのがよい。
【００１１】
収納部１１は被収納物を収納可能な空間であり、互いに対向する２枚のシートを貼り合わせて形成される。収納部１１の外枠部分は、開口部１２および逆止弁３に接続される部分を除き接着して密封される。なお、収納部１１の形成方法は特に限定されず、例えば１枚のシートを折り返してシートの前面と後面とを作り、それらの両側部を接着して収納部１１を形成してもよい。
【００１２】
シートの材質は特に限定されず、例えば柔軟性を有する樹脂製シートなどが挙げられる。具体的には、例えばポリエチレンやポリプロピレンなどのポリオレフィン系樹脂、ナイロンなどのポリアミド系樹脂、ポリエチレンテレフタレートなどのポリエステル系樹脂などが挙げられる。また、シートは１層構造に限定されず、多層構造であってもよい。このシートは有色・無色透明のいずれであってもよいし、文字や絵柄などが施してあってもよい。
【００１３】
シートを貼り合わせて収納部１１を形成した際、シート同士が接着されなかった袋本体１の少なくとも一辺（一端）が開口部１２となる。この開口部１２は、少なくとも１箇所設けられていればよい。
【００１４】
開口部１２には、被収納物を収容後に収納部１１を閉じて密封状態にするための閉鎖手段１３が設けられる。閉鎖手段１３は、開口部１２を閉じて収納部１１を密封するものであれば特に限定されない。例えば、図１に示す実施形態では、シートのいずれか一方側に凸部を、他方に凹部を備え、この一対の凸部と凹部とを嵌め合わせることによって開口部１２を閉鎖できる構造の樹脂製のチャックテープ（チャック部１３ａ）などが採用される。
【００１５】
スライダ１４は、袋本体１の開口部１２およびチャック部１３ａに対して跨るように装着される断面略コ字型部材である。スライダ１４は、チャック部１３ａの表面を開口部１２の長手方向に沿ってスライドすることにより、閉鎖手段１３の一対の凹凸部を分離あるいは嵌合させて、開口部１２の開閉を反復して行うことができる。
【００１６】
仕切部２は、図１に示すように、袋本体１の開口部１２側から逆止弁３側にかけて、開口部１２と直交する方向に、収納部１１内で直線的に設けられている。仕切部２は収納部１１内を少なくとも２箇所に仕切る隔壁であり、被収納物を収納部１１内で分けて収納することができる。
【００１７】
仕切部２は、互いに対向するシートの面の少なくとも一部を接合して形成される。形成方法としては、例えば、接着剤を用いて対向するシート同士を接着してもよいし、熱溶着で接合してもよい。仕切部２を熱溶着で形成する場合、シートの両側部を接合して収納部１１を形成するのと同時に仕切部２を形成することができる。さらに、熱融着で接合された仕切部２は、シートと同様の柔軟性を有しているため、衣類用圧縮袋１０を折り返したり、折り畳みやすくなる。
【００１８】
仕切部２は、開口部１２および逆止弁３との間に間隙２０を有している。間隙２０を設けることで、開口部１２側では開口しやすくなり、且つ逆止弁３側では収納部１１全体内の空気を排出しやすくなる。なお、仕切部２は、図１に示すような直線状だけではなく、曲線状に設けられてもよい。
【００１９】
図１に示す実施形態では、仕切部２は直線状に設けたが、図２に示すように仕切部２’同士の間に間隙２０を有するように断続的に設けられてもよい。仕切部２’同士は、同じ長さであっても異なっていてもよい。
【００２０】
逆止弁３は、袋本体１のうち、開口部１２と対向する他端に少なくとも１つ設けられる。逆止弁３は、収納部１１内の空気を外部へ排出し、且つ外部の空気が収納部１１内へ入らない構造となっている。そのため、収納部１１の空気を一旦排出すれば、開口部１２を開放しない限り、圧縮した状態を維持することができる。
【００２１】
逆止弁３は、衣類用圧縮袋１０を折り畳んで圧縮しやすくするため、袋本体１の開口部１２以外の辺縁に設けられ、袋本体１と同時に熱溶着で形成可能な同素材を用いて一体形成されるのがよい。なお、図１に示す例では、袋本体１の下端の２箇所に逆止弁３が形成されているが、逆止弁３の設置数は限定されない。
【００２２】
このような逆止弁３の構造は、例えば特許第４４１６７３８号などに記載の構造を用いればよい。すなわち、対向するシートの間に弁体シート（図示せず）を設け、それらをシールしたシール部３１を形成して空気の流路を形成すればよい。
なお、コンパクトに袋本体１を折り畳み可能であれば、逆止弁３は特に限定されない。例えば、逆止弁３は袋本体１と別に形成されていてもよく、逆止弁３は外部に突出していてもよい。具体的には、樹脂製の管状（バルブ状）の逆止弁を用いることもできる。
【００２３】
収納部１１と逆止弁３との間には、収納部１１の下端として区画シール４が設けられていてもよい。区画シール４は、仕切部２と同様に、袋本体１の対向するシート同士を熱溶着して形成される。この区画シール４は断続的に設けられ、その間隙部は、収納部１１から逆止弁３への空気の流入口となる。
【００２４】
次に、衣類用圧縮袋１０の使用方法を説明する。
まず、袋本体１の開口部１２より被収納物を、仕切部２により２箇所以上に分けられた収納部１１内に収納する。
次に、開口部１２の閉鎖手段１３を閉鎖して収納部１１を密封する。
最後に、袋本体１を外部から押圧し、収納部１１内の空気を逆止弁３より排出すれば、被収納物が圧縮された状態となる。このとき被収納物の容積は元の約半分程度に圧縮される。さらにこの後、圧縮された袋本体１を折り畳み、あるいは巻回して、よりコンパクトにすることもできる。
なお、被収納物を衣類用圧縮袋１０から取り出す際には、開口部１２を開ければよい。
【００２５】
本考案の衣類用圧縮袋１０は、本実施形態に限定されず、種々の改良や変更が可能である。仕切部２は対向するシートより形成されるため、容易にデザインを変更することができ、例えば、仕切部２を開口部１２と直交する方向に設けてもよい。
【符号の説明】
【００２６】
１      袋本体
２、２’  仕切部
３      逆止弁
４      区画シール
１０    衣類用圧縮袋
１１    収納部
１２    開口部
１３    閉鎖手段
１３ａ  チャック部
１４    スライダ
２０    間隙
３１    シール部
【図１】
0003222514.tif 000003
【図２】
0003222514.tif 000004
【手続補正書】
【提出日】令和1年6月5日(2019.6.5)
【手続補正１】
【補正対象書類名】実用新案登録請求の範囲
【補正対象項目名】全文
【補正方法】変更
【補正の内容】
【実用新案登録請求の範囲】
【請求項１】
対向する２枚のシートを貼り合わせて形成した衣類の収納部と、この収納部を密封状態にするための閉鎖手段を備える開口部と、を有する袋本体と、
前記収納部に接続され、内部の空気を排出する逆止弁と、
前記収納部内で互いに対向する前記シートの面を連続的あるいは断続的に接合して、前記収納部を少なくとも２箇所に仕切る仕切部と、を備えた衣類を圧縮する衣類用圧縮袋。
【請求項２】
前記仕切部が、直線状あるいは曲線状に設けられる請求項１に記載の衣類用圧縮袋。
【請求項３】
前記逆止弁が、前記袋本体内に一体に設けられている請求項１または２に記載の衣類用圧縮袋。
【請求項４】
前記開口部は前記袋本体の一端に設けられ、
前記逆止弁は前記袋本体の他端に設けられる請求項１〜３のいずれかに記載の衣類用圧縮袋。
【請求項５】
前記仕切部は、前記開口部と直交する方向に形成され、且つ前記開口部および逆止弁との間に間隙を有している請求項４に記載の衣類用圧縮袋。
【手続補正２】
【補正対象書類名】明細書
【補正対象項目名】０００４
【補正方法】変更
【補正の内容】
【０００４】
特許文献１に記載の圧縮袋は、収納部が１つのため、衣類（以下、被収納物ということがある）などを分別して収納したい場合、袋を２つ以上用いなければならない。また、袋内部に仕切り板などを設ける場合、被収納物を収納した袋の折り畳みが困難となり、コンパクトにならず、携帯性がよくない。
【手続補正３】
【補正対象書類名】明細書
【補正対象項目名】０００６
【補正方法】変更
【補正の内容】
【０００６】
本考案者は、上記課題を解決すべく鋭意検討を重ねた結果、以下の構成からなる解決手段を見出し、本考案を完成するに至った。すなわち、本考案の圧縮袋は、以下の構成を有する。
（１）対向する２枚のシートを貼り合わせて形成した衣類の収納部と、この収納部を密封状態にするための閉鎖手段を備える開口部と、を有する袋本体と、
前記収納部に接続され、内部の空気を排出する逆止弁と、
前記収納部内で互いに対向する前記シートの面を連続的あるいは断続的に接合して、前記収納部を少なくとも２箇所に仕切る仕切部と、を備えた衣類を圧縮する衣類用圧縮袋。
（２）前記仕切部が、直線状あるいは曲線状に設けられる（１）に記載の衣類用圧縮袋。
（３）前記逆止弁が、前記袋本体内に一体に設けられている（１）または（２）に記載の衣類用圧縮袋。
（４）前記開口部は前記袋本体の一端に設けられ、前記逆止弁は前記袋本体の他端に設けられる（１）〜（３）のいずれかに記載の衣類用圧縮袋。
（５）前記仕切部は、前記開口部と直交する方向に形成され、且つ前記開口部および逆止弁との間に間隙を有している（４）に記載の衣類用圧縮袋。